(57)【要約】【課題】決済情報の選択に手間と時間がかからない決済システムを提供する。【解決手段】利用者が店舗等で商品やサービスを購入する際に、ＩＣカード３を読取装置５に接続すると、読取装置５は、ＩＣカード３に優先順位情報１０７の送信を要求し（ステップ６０１）、要求を受けたＩＣカード３は、優先順位情報１０７を読取装置５に送信する（ステップ６０２）。  読取装置５は、優先順位情報１０７をもとに、決済情報を選択する（ステップ６０４）。  次に、読取装置５はＩＣカード３に、選択した決済情報の送信を要求し（ステップ６０５）、ＩＣカード３は、選択した決済情報を送信する（ステップ６０６）。  決済情報を受信した読取装置５は、受信した決済情報に基づいて決済を行う（ステップ６０８）。【選択図】図１５
2008065669.tif 000002
【特許請求の範囲】
【請求項１】
ＣＰＵを備えた情報記録媒体と、前記ＣＰＵを備えた情報記録媒体に接続された読取装置と、を有する決済システムであって、
前記ＣＰＵを備えた情報記録媒体は、
複数の決済情報を保持する保持手段と、
複数の前記決済情報から、少なくとも１つの前記決済情報を選択するための情報である優先順位情報を保持する保持手段と、
前記優先順位情報を前記読取装置に送信する送信手段と、
を有し、
前記読取装置は、
前記ＣＰＵを備えた情報記録媒体から送信された前記優先順位情報に基づき、複数の前記決済情報のうち、少なくとも１つの前記決済情報を選択する選択手段と、
選択した前記決済情報の送信をＣＰＵを備えた情報記録媒体に要求する要求手段と、
を有し、
前記ＣＰＵを備えた情報記録媒体は、
前記読取装置の要求に応じて、前記読取装置が選択した前記決済情報を前記読取装置に送信する送信手段を有し、
前記読取装置は、前記ＣＰＵを備えた情報記録媒体から送信された前記決済情報に基づき決済を行う決済手段を有することを特徴とする決済システム。
【請求項２】
前記優先順位情報は、複数の前記決済情報の優先順位を示す情報であり、前記選択手段は、前記優先順位の最も高い前記決済情報を選択し、最も優先順位の高い前記決済情報が利用できない場合は、優先順位が１つ下の前記決済情報を選択する手段であることを特徴とする請求項１記載の決済システム。
【請求項３】
前記優先順位情報は、複数の前記決済情報のうち、１つの前記決済情報を選択不可能とする情報であることを特徴とする請求項１記載の決済システム。
【請求項４】
前記優先順位情報は、複数の前記決済情報のうち、１つの前記決済情報のみを選択可能とする情報であることを特徴とする請求項１記載の決済システム。
【請求項５】
前記優先順位情報は、前記決済情報の一部であり、個々の前記決済情報は、各々が前記優先順位情報を有することを特徴とする請求項１記載の決済システム。
【請求項６】
読取装置に接続されたＣＰＵを備えた情報記録媒体であって、
複数の決済情報を保持する保持手段と、
複数の前記決済情報から、少なくとも１つの前記決済情報を選択するための情報である優先順位情報を保持する保持手段と、
前記優先順位情報を前記読取装置に送信する送信手段と、
前記読取装置の要求に応じて、前記読取装置が選択した前記決済情報を前記読取装置に送信する送信手段と、
を有することを特徴とするＣＰＵを備えた情報記録媒体。
【請求項７】
複数の決済情報を保持する保持手段と、複数の前記決済情報から、少なくとも１つの前記決済情報を選択するための情報である優先順位情報を保持する保持手段と、を有するＣＰＵを備えた情報記録媒体に接続された読取装置であって、
前記ＣＰＵを備えた情報記録媒体から送信された前記優先順位情報に基づき、複数の前記決済情報のうち、少なくとも１つの前記決済情報を選択する選択手段と、
選択した前記決済情報の送信を前記ＣＰＵを備えた情報記録媒体に要求する要求手段と、
前記読取装置は、前記ＣＰＵを備えた情報記録媒体から送信された前記決済情報に基づき決済を行う決済手段と、
を有することを特徴とする読取装置。
【請求項８】
ＣＰＵを備えた情報記録媒体と、前記ＣＰＵを備えた情報記録媒体に接続された端末装置と、を有する決済情報設定システムであって、
前記ＣＰＵを備えた情報記録媒体は、複数の決済情報を保持する保持手段と、
複数の前記決済情報から、少なくとも１つの前記決済情報を選択するための情報である優先順位情報を保持する保持手段と、
前記優先順位情報を前記端末装置に送信する送信手段と、
を有し、
前記端末装置は、
前記ＣＰＵを備えた情報記録媒体から送信された前記優先順位情報の内容を変更する変更手段と、
変更した前記優先順位情報を前記ＣＰＵを備えた情報記録媒体に送信する送信手段と、
を有し、
前記ＣＰＵを備えた情報記録媒体は、前記端末装置から受信した前記優先順位情報を保存する保存手段と、
を有することを特徴とする決済情報設定システム。
【請求項９】
前記優先順位情報は、複数の前記決済情報の優先順位を示す情報であり、前記変更手段は、前記優先順位を変更する手段であることを特徴とする請求項８記載の決済システム。
【請求項１０】
前記優先順位情報は、複数の前記決済情報のうち、１つの前記決済情報を選択不可能とする情報であり、前記変更手段は、選択不可能とする前記決済情報を変更する手段であることを特徴とする請求項８記載の決済情報設定システム。
【請求項１１】
前記優先順位情報は、複数の前記決済情報のうち、１つの前記決済情報のみを選択可能とする情報であり、前記変更手段は、選択可能とする１つの前記決済情報を変更する手段であることを特徴とする請求項８記載の決済情報設定システム。
【請求項１２】
端末装置に接続されたＣＰＵを備えた情報記録媒体であって、
複数の決済情報を保持する保持手段と、
複数の前記決済情報から、少なくとも１つの前記決済情報を選択するための情報である優先順位情報を保持する保持手段と、
前記優先順位情報を前記端末装置に送信する送信手段と、
前記端末装置から受信した前記優先順位情報を保存する保存手段と、
を有することを特徴とするＣＰＵを備えた情報記録媒体。
【請求項１３】
優先順位情報を有するＣＰＵを備えた情報記録媒体に接続された端末装置であって、
前記ＣＰＵを備えた情報記録媒体から送信された前記優先順位情報の内容を変更する変更手段と、
変更した前記優先順位情報を前記ＣＰＵを備えた情報記録媒体に送信する送信手段と、
を有することを特徴とする端末装置。
【請求項１４】
ＣＰＵを備えた情報記録媒体と、前記ＣＰＵを備えた情報記録媒体に接続された読取装置と、を有する決済システムであって、
前記ＣＰＵを備えた情報記録媒体は、
複数の決済情報を保持する保持手段と、
複数の前記決済情報から、少なくとも１つの前記決済情報を選択するための情報である優先順位情報を保持する保持手段と、
前記優先順位情報に基づき、複数の前記決済情報のうち、少なくとも１つの前記決済情報を選択する選択手段と、
前記選択手段により選択した前記決済情報を前記読取装置に送信する送信手段と、
を有し、
前記読取装置は、
前記ＣＰＵを備えた情報記録媒体から送信された前記決済情報に基づき決済を行う決済手段を有することを特徴とする決済システム。
【請求項１５】
読取装置に接続されたＣＰＵを備えた情報記録媒体であって、
複数の決済情報を保持する保持手段と、
複数の前記決済情報から、少なくとも１つの前記決済情報を選択するための情報である優先順位情報を保持する保持手段と、
前記優先順位情報に基づき、複数の前記決済情報のうち、少なくとも１つの前記決済情報を選択する選択手段と、
前記選択手段により選択した前記決済情報を前記読取装置に送信する送信手段と、
を有することを特徴とするＣＰＵを備えた情報記録媒体。
【請求項１６】
ＣＰＵを備えた情報記録媒体を請求項６記載のＣＰＵを備えた情報記録媒体として機能させるためのプログラム。
【請求項１７】
コンピュータを請求項７記載の読取装置として機能させるためのプログラム。
【請求項１８】
ＣＰＵを備えた情報記録媒体を請求項１２記載のＣＰＵを備えた情報記録媒体として機能させるためのプログラム。
【請求項１９】
コンピュータを請求項１３記載の端末装置として機能させるためのプログラム。
【請求項２０】
ＣＰＵを備えた情報記録媒体を請求項１５記載のＣＰＵを備えた情報記録媒体として機能させるためのプログラム。
【発明の詳細な説明】
【技術分野】
【０００１】
本発明は、ＣＰＵ（Central Processing Unit）を備えた情報記録媒体を用いた決済システムおよび決済情報設定システムに関するものである。
【背景技術】
【０００２】
従来、クレジットカード等のカードによる決済には、磁気カードが用いられていた。
即ち、磁気カードに利用者の使用するカードの番号や有効期限の情報である決済情報を記録しておき、読取装置が決済情報を読み取ることにより決済を行っていた。
【０００３】
一方、磁気カードは偽造が比較的容易なこと、記憶容量が小さいこと、外部から磁気を加えられると容易に記憶した情報が消去されてしまうこと等の欠点がある。
【０００４】
そこで近年では、ＩＣカードのような、ＣＰＵを備えた情報記録媒体を用いた決済システムや、ＩＣカードを内蔵し、クレジット機能を有する携帯電話等の端末装置を用いた決済システム等が開発されており、以下のようなものが知られている（特許文献１）。
【特許文献１】特開２００２−１４０６６５号公報
【発明の開示】
【発明が解決しようとする課題】
【０００５】
しかしながら、このようなシステムでは、１枚のＩＣカードが複数のクレジットカードの決済情報を保有することが可能であるが、この場合、どの決済情報を使用するかを、支払いの度に利用者、もしくは店舗側が選択しなければならず、手間と時間がかかるという問題があった。
【０００６】
即ち、決済情報が複数ある場合でも、あらかじめ、どの決済情報を使用するかを利用者が決めることができなかった。
【０００７】
本発明は、このような問題に鑑みてなされたもので、その目的は決済情報の選択に手間と時間がかからない決済システムを提供することにある。
【課題を解決するための手段】
【０００８】
前述した目的を達成するために、第１の発明は、ＣＰＵを備えた情報記録媒体と、前記ＣＰＵを備えた情報記録媒体に接続された読取装置と、を有する決済システムであって、前記ＣＰＵを備えた情報記録媒体は、複数の決済情報を保持する保持手段と、複数の前記決済情報から、少なくとも１つの前記決済情報を選択するための情報である優先順位情報を保持する保持手段と、前記優先順位情報を前記読取装置に送信する送信手段と、を有し、前記読取装置は、前記ＣＰＵを備えた情報記録媒体から送信された前記優先順位情報に基づき、複数の前記決済情報のうち、少なくとも１つの前記決済情報を選択する選択手段と、選択した前記決済情報の送信をＣＰＵを備えた情報記録媒体に要求する要求手段と、を有し、前記ＣＰＵを備えた情報記録媒体は、前記読取装置の要求に応じて、前記読取装置が選択した前記決済情報を前記読取装置に送信する送信手段を有し、前記読取装置は、ＣＰＵを備えた情報記録媒体から送信された前記決済情報に基づき決済を行う決済手段を有することを特徴とする決済システムである。
【０００９】
前記優先順位情報は、例えば複数の前記決済情報の優先順位を示す情報であり、前記選択手段は、前記優先順位の最も高い前記決済情報を選択し、最も優先順位の高い前記決済情報が利用できない場合は、優先順位が１つ下の前記決済情報を選択する手段である。
【００１０】
前記優先順位情報は、例えば複数の前記決済情報のうち、１つの前記決済情報を選択不可能とする情報である。
前記優先順位情報は、例えば複数の前記決済情報のうち、１つの前記決済情報のみを選択可能とする情報である。
前記優先順位情報は、前記決済情報の一部であり、個々の前記決済情報は、各々が前記優先順位情報を有してもよい。
【００１１】
第２の発明は、読取装置に接続されたＣＰＵを備えた情報記録媒体であって、複数の決済情報を保持する保持手段と、複数の前記決済情報から、少なくとも１つの前記決済情報を選択するための情報である優先順位情報を保持する保持手段と、前記優先順位情報を前記読取装置に送信する送信手段と、前記読取装置の要求に応じて、前記読取装置が選択した前記決済情報を前記読取装置に送信する送信手段と、を有することを特徴とするＣＰＵを備えた情報記録媒体である。
【００１２】
第３の発明は、複数の決済情報を保持する保持手段と、複数の前記決済情報から、少なくとも１つの前記決済情報を選択するための情報である優先順位情報を保持する保持手段と、を有するＣＰＵを備えた情報記録媒体に接続された読取装置であって、前記ＣＰＵを備えた情報記録媒体から送信された前記優先順位情報に基づき、複数の前記決済情報のうち、少なくとも１つの前記決済情報を選択する選択手段と、選択した前記決済情報の送信を前記ＣＰＵを備えた情報記録媒体に要求する要求手段と、前記読取装置は、前記ＣＰＵを備えた情報記録媒体から送信された前記決済情報に基づき決済を行う決済手段と、を有することを特徴とする読取装置である。
【００１３】
第４の発明は、ＣＰＵを備えた情報記録媒体と、前記ＣＰＵを備えた情報記録媒体に接続された端末装置と、を有する決済情報設定システムであって、前記ＣＰＵを備えた情報記録媒体は、複数の決済情報を保持する保持手段と、複数の前記決済情報から、少なくとも１つの前記決済情報を選択するための情報である優先順位情報を保持する保持手段と、前記優先順位情報を前記端末装置に送信する送信手段と、を有し、前記端末装置は、前記ＣＰＵを備えた情報記録媒体から送信された前記優先順位情報の内容を変更する変更手段と、変更した前記優先順位情報を前記ＣＰＵを備えた情報記録媒体に送信する送信手段と、を有し、前記ＣＰＵを備えた情報記録媒体は、前記端末装置から受信した前記優先順位情報を保存する保存手段と、を有することを特徴とする決済情報設定システムである。
【００１４】
前記優先順位情報は、例えば複数の前記決済情報の優先順位を示す情報であり、前記変更手段は、前記優先順位を変更する手段である。
前記優先順位情報は、例えば複数の前記決済情報のうち、１つの前記決済情報を選択不可能とする情報であり、前記変更手段は、選択不可能とする前記決済情報を変更する手段である。
前記優先順位情報は、例えば複数の前記決済情報のうち、１つの前記決済情報のみを選択可能とする情報であり、前記変更手段は、選択可能とする１つの前記決済情報を変更する手段である。
【００１５】
第５の発明は、端末装置に接続されたＣＰＵを備えた情報記録媒体であって、複数の決済情報を保持する保持手段と、複数の前記決済情報から、少なくとも１つの前記決済情報を選択するための情報である優先順位情報を保持する保持手段と、前記優先順位情報を前記端末装置に送信する送信手段と、前記端末装置から受信した前記優先順位情報を保存する保存手段と、を有することを特徴とするＣＰＵを備えた情報記録媒体である。
【００１６】
第６の発明は、優先順位情報を有するＣＰＵを備えた情報記録媒体に接続された端末装置であって、前記ＣＰＵを備えた情報記録媒体から送信された前記優先順位情報の内容を変更する変更手段と、変更した前記優先順位情報を前記ＣＰＵを備えた情報記録媒体に送信する送信手段と、を有することを特徴とする端末装置である。
【００１７】
第７の発明は、ＣＰＵを備えた情報記録媒体と、前記ＣＰＵを備えた情報記録媒体に接続された読取装置と、を有する決済システムであって、前記ＣＰＵを備えた情報記録媒体は、複数の決済情報を保持する保持手段と、複数の前記決済情報から、少なくとも１つの前記決済情報を選択するための情報である優先順位情報を保持する保持手段と、前記優先順位情報に基づき、複数の前記決済情報のうち、少なくとも１つの前記決済情報を選択する選択手段と、前記選択手段により選択した前記決済情報を前記読取装置に送信する送信手段と、を有し、前記読取装置は、前記ＣＰＵを備えた情報記録媒体から送信された前記決済情報に基づき決済を行う決済手段を有することを特徴とする決済システムである。
【００１８】
第８の発明は、読取装置に接続されたＣＰＵを備えた情報記録媒体であって、複数の決済情報を保持する保持手段と、複数の前記決済情報から、少なくとも１つの前記決済情報を選択するための情報である優先順位情報を保持する保持手段と、前記優先順位情報に基づき、複数の前記決済情報のうち、少なくとも１つの前記決済情報を選択する選択手段と、前記選択手段により選択した前記決済情報を前記読取装置に送信する送信手段と、を有することを特徴とするＣＰＵを備えた情報記録媒体である。
【００１９】
第９の発明は、ＣＰＵを備えた情報記録媒体を第２の発明記載のＣＰＵを備えた情報記録媒体として機能させるためのプログラムである。
第１０の発明は、コンピュータを第３の発明記載の読取装置として機能させるためのプログラムである。
【００２０】
第１１の発明は、ＣＰＵを備えた情報記録媒体を第５の発明記載のＣＰＵを備えた情報記録媒体として機能させるためのプログラムである。
第１２の発明は、コンピュータを第６の発明記載の端末装置として機能させるためのプログラムである。
第１３の発明は、ＣＰＵを備えた情報記録媒体を第８の発明記載のＣＰＵを備えた情報記録媒体として機能させるためのプログラムである。
【００２１】
本発明では、決済システムが優先順位情報および選択手段を備えており、決済の際には、決済システムは優先順位情報に基づき、選択手段を用いて少なくとも１つの決済情報を選択して決済を行う。
【発明の効果】
【００２２】
本発明によれば、決済時には決済システムが決済情報を選択するため、利用者や店舗側で決済情報の選択を必ずしもする必要がなく、決済情報の選択に手間と時間がかからない。
【発明を実施するための最良の形態】
【００２３】
以下、図面に基づいて本発明に好適な実施形態を詳細に説明する。
図１は、第１の実施形態に係る決済および決済情報設定システム１の構成を示すブロック図であって、図２はＩＣカード３のハードウェア構成を示す図、図３は図２の記憶部１５を示す図である。
【００２４】
また、図４〜図８は優先順位情報１０７の詳細を示す図である。
さらに、図９は読取装置５のハードウェア構成を示す図、図１０は図９の記憶部２３を示す図である。
【００２５】
また、図１１は端末装置７のハードウェア構成を示す図、図１２は図１１の記憶部４１を示す図、図１３は決済サーバＡ（１１ａ）のハードウェア構成を示す図、図１４は図１３の記憶部６１を示す図である。
【００２６】
図１に示すように、決済および決済情報設定システム１はＣＰＵを備えた情報記録媒体としてのＩＣカード３を有し、ＩＣカード３は非接触通信手段を介して読取装置５に接続されている。
ＩＣカード３はまた、接触通信手段を介して端末装置７にも接続されている。
読取装置５はネットワーク９を介して決済サーバＡ（１１ａ）、決済サーバＢ（１１ｂ）、決済サーバＣ（１１ｃ）に接続されている。
【００２７】
ＩＣカード３は第１の実施形態においては、クレジットカードの番号や有効期限等の情報である決済情報を有するカードであり、読取装置５に接続して決済情報を読み取らせることにより決済を行う。なお詳細は後述する。
【００２８】
読取装置５は、決済の際にＩＣカード３が保持する決済情報を読み取り、決済を行う。
端末装置７は、後述する優先順位情報を設定する際に用いられるコンピュータであり、例えば携帯電話である。
【００２９】
ネットワーク９は、移動体通信事業者の携帯電話網、インターネット、ローカルエリアネットワーク（ＬＡＮ）等のネットワークであり、有線、無線は問わない。
決済サーバＡ（１１ａ）、決済サーバＢ（１１ｂ）、決済サーバＣ（１１ｃ）は、決済時に決済情報を照合するためのコンピュータである。
【００３０】
図２に示すように、ＩＣカード３は、制御部１３、記憶部１５、非接触インタフェース部１７ａ、接触インタフェース部１７ｂ等がバス１９を介して互いに接続されている。
【００３１】
制御部１３は、ＣＰＵ（Central
Processing Unit）、ＲＯＭ（Read Only
Memory）、ＲＡＭ（Random Access
Memory）等で構成され、記憶部１５に格納されたプログラムに従って、バス１９を介して接続された各装置を駆動制御する。
【００３２】
記憶部１５には、図３に示すように、ＩＣカード３の各構成部分を駆動制御するための制御プログラム１０１、本発明を実施するための決済情報送信プログラム１０２、決済方法や決済に用いられるカード会社等を示す情報である決済情報Ａ（１０３ａ）、決済情報Ｂ（１０３ｂ）、決済情報Ｃ（１０３ｃ）、複数の決済情報から少なくとも一つの決済情報を選択するための情報である優先順位情報１０７が格納されている。
【００３３】
これらの各プログラムコードは、制御部１３により必要に応じて読み出されてＲＡＭに移され、ＣＰＵに読み出されて各種の手段として実行される。
非接触インタフェース部１７ａは、ＩＣアンテナ等の非接触通信手段を用いたインタフェースであり、決済の際には読取装置５に接続される。
接触インタフェース部１７ｂは接触通信手段を用いたインタフェースであり、端末装置７に接続される。
【００３４】
ここで、決済情報Ａ（１０３ａ）、決済情報Ｂ（１０３ｂ）、決済情報Ｃ（１０３ｃ）および優先順位情報１０７について詳細に説明する。
決済情報Ａ（１０３ａ）、決済情報Ｂ（１０３ｂ）、決済情報Ｃ（１０３ｃ）は、先に述べたように、決済に用いられるカードの番号や有効期限、クレジット会社の情報、利用者の氏名等を示す情報である。
【００３５】
一方、優先順位情報１０７は、図４に示すように、優先順位設定情報５０１ａ、一時使用停止設定情報５０１ｂ、デフォルト設定情報５０１ｃの３つの情報および決済情報のリストである決済情報リスト５０１ｄからなる。
優先順位設定情報５０１ａは、読取装置５やＩＣカード３が決済時に決済情報を選択する際の優先順位を表す情報であり、例えば図５に示すように、決済情報Ａ（１０３ａ）が優先順位１番の場合は、読取装置５やＩＣカード３は決済情報Ａ（１０３ａ）のみを選択し、決済情報Ｂ（１０３ｂ）、決済情報Ｃ（１０３ｃ）は選択しない。
【００３６】
ただし、後述するように、決済情報Ａ（１０３ａ）が使用できない場合は優先順位２番の決済情報Ｂ（１０３ｂ）が選択される。
【００３７】
なお、複数の決済情報が同じ優先順位である場合もある。例えば、決済情報Ａ（１０３ａ）と決済情報Ｂ（１０３ｂ）が優先順位１位である場合等である。
この場合は、読取装置５やＩＣカード３は決済情報Ａ（１０３ａ）と決済情報Ｂ（１０３ｂ）の２つを選択する。
また、このような場合は、先にＩＣカード３にインストールされた決済情報が優先的に選択される場合もある。
【００３８】
一方、一時使用停止設定情報５０１ｂは、読取装置５やＩＣカード３が決済情報を選択する際に、選択不可能な決済情報を示す情報である。
例えば、図６に示すように、決済情報Ａ（１０３ａ）が「停止」の設定になっている場合は、決済情報Ａ（１０３ａ）は選択できない。
【００３９】
なお、優先順位設定情報５０１ａと一時使用停止設定情報５０１ｂは併用できるが、一時使用停止設定情報５０１ｂが優先される。
従って、例えば、図７に示すように、決済情報Ａ（１０３ａ）が「停止」の設定になっている場合は、たとえ決済情報Ａ（１０３ａ）が優先順位１番であっても選択できない。
【００４０】
また、デフォルト設定情報５０１ｃは、読取装置５やＩＣカード３が、決済時に１つの決済情報のみを選択可能とする情報である。
例えば、図８に示すように、決済情報Ａ（１０３ａ）が「○」の設定になっている場合は、決済情報Ａ（１０３ａ）のみ選択可能である。
なお、デフォルト設定情報５０１ｃは、優先順位設定情報５０１ａや一時使用停止設定情報５０１ｂと併用することはできない。
【００４１】
次に、図９に示すように、読取装置５は制御部２１、記憶部２３、通信部３１、入力部２５、表示部２７、非接触インタフェース部２９等がバス３３を介して互いに接続されている。また、バス３３は、通信ケーブル３５を介してネットワーク９と接続されている。
【００４２】
制御部２１は、ＣＰＵ、ＲＯＭ、ＲＡＭ等で構成され、記憶部２３に格納されたプログラムに従って、バス３３を介して接続された各装置を駆動制御する。
【００４３】
記憶部２３には、図１０に示すように、読取装置５の各構成部分を駆動制御するための制御プログラム２０１、本発明を実施するための決済プログラム２０２が格納されている。
【００４４】
これらの各プログラムコードは、制御部２１により必要に応じて読み出されてＲＡＭに移され、ＣＰＵに読み出されて各種の手段として実行される。
【００４５】
入力部２５、表示部２７は、制御部２１のＲＯＭや記憶部２３に記憶されているプログラムや情報をバージョンアップする際などに用いられる。
【００４６】
通信部３１は、通信ケーブル３５およびネットワーク９を介し、決済サーバＡ（１１ａ）、決済サーバＢ（１１ｂ）、決済サーバＣ（１１ｃ）と通信を行う際に用いられる。
【００４７】
非接触インタフェース部２９は、ＩＣアンテナ等の非接触通信手段を用いたインタフェースであり、ＩＣカード３に接続される。
【００４８】
図１１に示すように、端末装置７は制御部３９、記憶部４１、入力部４５、表示部４７、インタフェース部４９等がバス５１を介して互いに接続されている。
【００４９】
制御部３９は、ＣＰＵ、ＲＯＭ、ＲＡＭ等で構成され、記憶部４１に格納されたプログラムに従って、バス５１を介して接続された各装置を駆動制御する。
【００５０】
記憶部４１には、図１２に示すように、端末装置７の各構成部分を駆動制御するための制御プログラム３０１、本発明を実施するための優先順位情報変更プログラム３０２が格納されている。
【００５１】
これらの各プログラムコードは、制御部３９により必要に応じて読み出されてＲＡＭに移され、ＣＰＵに読み出されて各種の手段として実行される。
【００５２】
入力部４５、表示部４７は、優先順位情報変更プログラム３０２を用いて優先順位情報１０７を変更する際に用いられる。
【００５３】
図１３に示すように、決済サーバＡ（１１ａ）は制御部５９、記憶部６１、通信部５３、入力部５５、表示部５７、インタフェース部５９等がバス５１ａを介して互いに接続されている。また、バス５１ａは、通信ケーブル６３を介してネットワーク９と接続されている。
【００５４】
制御部５９は、ＣＰＵ、ＲＯＭ、ＲＡＭ等で構成され、記憶部６１に格納されたプログラムに従って、バス５１ａを介して接続された各装置を駆動制御する。
【００５５】
記憶部６１には、図１４に示すように、決済サーバ１１ａの各構成部分を駆動制御するための制御プログラム４０１、本発明を実施するための決済プログラム４０２が格納されている。
【００５６】
これらの各プログラムコードは、制御部５９により必要に応じて読み出されてＲＡＭに移され、ＣＰＵに読み出されて各種の手段として実行される。
【００５７】
入力部５５、表示部５７は、制御部５９のＲＯＭや記憶部６１に記憶されているプログラムや情報をバージョンアップする際などに用いられる。
【００５８】
通信部５３は、通信ケーブル６３およびネットワーク９を介し、読取装置５と通信を行う際に用いられる。
なお、決済サーバＢ（１１ｂ）、決済サーバＣ（１１ｃ）の構成は決済サーバＡ（１１ａ）と同様であるため、説明を省略する。
【００５９】
次に、決済および決済情報設定システム１の動作について説明する。
まず、決済時の動作について説明する。
図１５は決済時の決済および決済情報設定システム１の動作を示すフローチャートであって、図１６は決済時の読取装置５の表示部２７の表示を示す図である。
【００６０】
利用者が店舗等で商品やサービスを購入する際に、ＩＣカード３を読取装置５に接続すると、まず、読取装置５の制御部２１は決済プログラム２０２を起動し、ＩＣカード３に優先順位情報１０７の送信を要求する（ステップ６０１）。
【００６１】
読取装置５からの要求を受けたＩＣカード３の制御部１３は、決済情報送信プログラム１０２を起動し、優先順位情報１０７を読取装置５に送信する（ステップ６０２）。
読取装置５の制御部２１は優先順位情報１０７を受信する（ステップ６０３）。
【００６２】
読取装置５の制御部２１は、優先順位情報１０７をもとに、要求する決済情報を選択する（ステップ６０４）。
具体的には、図４〜図８に示す優先順位設定情報５０１ａ、一時使用停止設定情報５０１ｂ、デフォルト設定情報５０１ｃを参照し、要求する決済情報を選択する。
【００６３】
この際に読取装置５の制御部２１は、表示部２７に選択した決済情報を表示してもよい。
例えば、決済情報Ｃ（１０３ｃ）を選択した場合は、図１６（ａ）に示すように、選択された決済情報を示す決済情報表示７１ｃを一番上に表示し、選択されなかった決済情報を示す決済情報表示７１ａ、７１ｂを決済情報表示７１ｃの下に表示する。
【００６４】
あるいは、図１６（ｂ）に示すように、選択された決済情報を示す決済情報表示７１ｃの横にポインタ７３を表示し、読取装置５が選択した決済情報が既に選択されている状態にしてもよい。
このような表示をすることにより、ＩＣカード３の利用者、もしくは店舗側は選択された決済情報を知ることができる。
この状態で利用者がポインタ７３を操作して他の決済情報を選択すると、その決済情報が選択される。
なお、選択された決済情報を示す表示はポインタ７３に限定されることはなく、例えばフォントの大型化、強調表示等の公知の方法を用いて選択された状態を表現してもよい。
また、ＩＣカード３が端末装置７に接続されている場合は、端末装置７の表示部４７に図１６（ｂ）に示す表示を行ってもよい。
【００６５】
次に、読取装置５の制御部２１はＩＣカード３に、選択した決済情報の送信を要求する（ステップ６０５）。
読取装置５からの要求を受けたＩＣカード３の制御部１３は、選択した決済情報を読取装置５に送信する（ステップ６０６）。
【００６６】
読取装置５の制御部２１は選択した決済情報を受信する（ステップ６０７）。
そして、読取装置５の制御部２１は受信した決済情報に基づいて決済を行う（ステップ６０８）。
【００６７】
このとき、選択した決済情報で決済ができない場合は、読取装置５の制御部２１はＩＣカード３に対して別の決済情報の送信を要求するか、エラーを表示して決済を中止する。
【００６８】
なお、最終的な決済情報の選択を利用者が行えるようにしてもよい。
即ち、図１６（ｂ）に示す表示のように、読取装置５の制御部２１は選択した決済情報の横にポインタ７３を表示して、この決済情報が選択された状態にし、利用者が図示しない実行ボタンを押すことによって、最終的に決済情報が選択される。
【００６９】
また、ＩＣカード３が端末装置７に接続されている場合は、端末装置７の制御部３９が表示部４７に図１６（ｂ）と同様の表示を行い、この決済情報が選択された状態にし、利用者が図示しない実行ボタンを押すことによって、最終的に決済情報が選択されるようにすることもできる。
【００７０】
このように、決済および決済情報設定システム１においては、決済に用いる決済情報は優先順位情報１０７に基づき、読取装置５が選択する。
従って、利用者や店舗側が決済の度に決済情報を選択する必要がなく、決済の手間と時間がかからない。
【００７１】
次に、優先順位情報１０７の設定の変更手順について説明する。
図１７は決済および決済情報設定システム１を用いた優先順位情報１０７の設定の手順を示すフローチャートであって、図１８〜図２６は、図１７の各ステップでの端末装置７の表示部４７の表示内容を示す図である。
【００７２】
まず、端末装置７の制御部３９は優先順位情報変更プログラム３０２を起動し、優先順位情報１０７の変更方法を選択する（ステップ７０１）。
具体的には、図１８に示すように、表示部４７に設定方法表示７５ａ、７５ｂ、７５ｃを行い、利用者は入力部４５を用いてポインタ７７を操作し、選択を行う。
【００７３】
設定方法表示７５ａ、７５ｂ、７５ｃは、それぞれ優先順位設定情報５０１ａ、一時使用停止設定情報５０１ｂ、デフォルト設定情報５０１ｃを示す表示であり、利用者はこのうち、どの設定情報を変更するかを選択する。
そして、利用者が選択した優先順位情報１０７の変更方法を端末装置７の制御部３９が選択する。
【００７４】
優先順位情報１０７の変更方法が選択されると、端末装置７の制御部３９はＩＣカード３に優先順位情報１０７の送信を要求する（ステップ７０２）。
【００７５】
端末装置７からの要求を受けたＩＣカード３の制御部１３は、決済情報送信プログラム１０２を起動し、優先順位情報１０７を端末装置７に送信する（ステップ７０３）。
端末装置７の制御部３９は優先順位情報１０７を受信する（ステップ７０４）。
【００７６】
ここで、先ほど選択した優先順位情報１０７の変更方法が、優先順位設定情報５０１ａの変更である場合はステップ７０６に進み、一時使用停止設定情報５０１ｂの変更である場合はステップ７０９に進み、デフォルト設定情報５０１ｃの変更である場合はステップ７１０に進む（ステップ７０５）。
【００７７】
優先順位設定情報５０１ａの変更である場合は、まず、端末装置７の制御部３９は優先順位１番の決済情報を選択する（ステップ７０６）。
具体的には、図１９に示すように、制御部３９は優先順位情報１０７をもとにして表示部４７に決済情報表示７１ａ、７１ｂ、７１ｃを表示する。
利用者は入力部４５を用いてポインタ７７を操作し、決済情報の選択を行う。
そして、利用者が選択した決済情報を優先順位１番として端末装置７の制御部３９が選択する。
【００７８】
次に、端末装置７の制御部３９は優先順位２番の決済情報を選択する（ステップ７０７）。
具体的には、図２０に示すように、制御部３９は優先順位情報１０７をもとにして表示部４７に決済情報表示７１ａ、７１ｂ、７１ｃを表示する。
利用者は入力部４５を用いてポインタ７７を操作し、決済情報の選択を行う。
【００７９】
この際、優先順位１番として設定した決済情報を示す決済情報表示７１ｃは、表示が変更されており、選択できなくなっている。
そして、利用者が選択した決済情報を優先順位２番として端末装置７の制御部３９が選択する。
【００８０】
次に、端末装置７の制御部３９は優先順位３番の決済情報を選択する（ステップ７０８）。
具体的には、図２１に示すように、制御部３９は優先順位情報１０７をもとにして表示部４７に決済情報表示７１ａ、７１ｂ、７１ｃを表示する。
利用者は入力部４５を用いてポインタ７７を操作し、決済情報の選択を行う。
【００８１】
この際、優先順位１番および２番として設定した決済情報を示す決済情報表示７１ｃ、７１ａは、表示が変更になっており、選択できなくなっている。
そして、利用者が選択した決済情報を優先順位３番として端末装置７の制御部３９が選択する。
【００８２】
次に、端末装置７の制御部３９は、選択された優先順位に従って、優先順位情報１０７の優先順位設定情報５０１ａを変更する（ステップ７１１）。この際、端末装置７の制御部３９は、図２２に示すように、表示部４７に変更後の優先順位を表示してもよい。
かかる表示を行うことにより、利用者は変更された優先順位設定情報５０１ａの内容を確認することができる。
そして、端末装置７の制御部３９は、変更した優先順位設定情報５０１ａを含む優先順位情報１０７をＩＣカード３に送信する（ステップ７１２）。
【００８３】
ＩＣカード３の制御部１３は変更した優先順位情報１０７を受信し（ステップ７１３）、記憶部１５に保存する（ステップ７１４）。なお、変更前の優先順位情報１０７は消去される。
以上のステップにより、優先順位情報１０７は変更される。
【００８４】
一方、優先順位情報１０７の変更方法が、一時使用停止設定情報５０１ｂの変更である場合は、端末装置７の制御部３９は使用を停止する決済情報を選択する（ステップ７０９）。
【００８５】
具体的には、図２３に示すように、制御部３９は優先順位情報１０７をもとにして表示部４７に決済情報表示７１ａ、７１ｂ、７１ｃを表示する。
利用者は入力部４５を用いてポインタ７７を操作し、使用を停止する決済情報の選択を行う。
【００８６】
そして、利用者が選択した決済情報を、使用を停止する決済情報として端末装置７の制御部３９が選択する。
なお、使用を停止する決済情報が複数ある場合は複数選択することができる。
【００８７】
次に、端末装置７の制御部３９は、優先順位情報１０７の一時使用停止設定情報５０１ｂを変更する（ステップ７１１）。
この際、端末装置７の制御部３９は、図２４に示すように、表示部４７に一時使用停止する決済情報を表示してもよい。
【００８８】
即ち、図２４では決済情報Ｂが一時使用停止となっており、表示が変更されている。
かかる表示を行うことにより、利用者は変更された一時使用停止設定情報５０１ｂの内容を確認することができる。
そして、端末装置７の制御部３９は、変更した一時使用停止設定情報５０１ｂを含む優先順位情報１０７をＩＣカード３に送信する（ステップ７１２）。
【００８９】
ＩＣカード３の制御部１３は優先順位情報１０７を受信し（ステップ７１３）、記憶部１５に保存する（ステップ７１４）。なお、変更前の優先順位情報１０７は消去される。
以上のステップにより、優先順位情報１０７は変更される。
【００９０】
一方、優先順位情報１０７の変更方法が、デフォルト設定情報５０１ｃの変更である場合は、端末装置７の制御部３９は優先順位情報１０７をもとにしてデフォルト設定にする決済情報を選択する（ステップ７１０）。
【００９１】
具体的には、図２５に示すように、制御部３９は表示部４７に決済情報表示７１ａ、７１ｂ、７１ｃを表示し、利用者は入力部４５を用いてポインタ７７を操作し、デフォルト設定にする決済情報の選択を行う。
【００９２】
そして、利用者が選択した決済情報を、デフォルト設定にする決済情報として端末装置７の制御部３９が選択する。
【００９３】
次に、端末装置７の制御部３９は、優先順位情報１０７のデフォルト設定情報５０１ｃを変更する（ステップ７１１）。
この際、端末装置７の制御部３９は、図２６に示すように、表示部４７にデフォルト設定にする決済情報を表示してもよい。
かかる表示を行うことにより、利用者は変更された一時使用停止設定情報５０１ｂの内容を確認することができる。
【００９４】
即ち、図２６では決済情報Ｂがデフォルト設定となっており、他の決済情報は薄く表示されている。
あるいは、決済情報Ｂにデフォルトマーク等を表示して区別してもよい。
そして、端末装置７の制御部３９は、変更したデフォルト設定情報５０１ｃを含む優先順位情報１０７をＩＣカード３に送信する（ステップ７１２）。
【００９５】
ＩＣカード３の制御部１３は優先順位情報１０７を受信し（ステップ７１３）、記憶部１５に保存する（ステップ７１４）。なお、変更前の優先順位情報１０７は消去される。
以上のステップにより、優先順位情報１０７の設定は変更される。
【００９６】
なお、優先順位設定情報５０１ａ、一時使用停止設定情報５０１ｂ、デフォルト設定情報５０１ｃは、全てを設定しなければならないわけではない。
例えば優先順位設定情報５０１ａの設定のみを行うこともでき、この場合は、決済時に一時使用停止設定情報５０１ｂおよびデフォルト設定情報５０１ｃは使用されない。
【００９７】
このように、第１の実施の形態によれば、決済および決済情報設定システム１はＩＣカード３、読取装置５および端末装置７を有し、決済の際には読取装置５がＩＣカード３の有する優先順位情報１０７に基づいて決済に用いる決済情報を選択する。
従って、利用者や店舗側が決済の度に決済情報を選択する必要がなく、決済の手間と時間がかからない。
【００９８】
また、第１の実施形態によれば、優先順位情報１０７は端末装置７を用いることにより変更することができる。
従って利用者は、決済に使用する決済情報を事前に設定することができる。
【００９９】
次に、第２の実施形態について説明する。
図２７は第２の実施形態に係る決済および決済情報設定システム１ａの決済時の動作を示すフローチャートである。
【０１００】
なお、第１の実施形態に係る決済および決済情報設定システム１と同様の機能を果たす要素には同一の番号を付し、説明を省略する。
また、決済および決済情報設定システム１ａのブロック図および各構成要素のハードウェア構成は、決済および決済情報設定システム１と同様であるため、説明を省略する。
【０１０１】
第２の実施形態では、決済の際に、決済情報の選択を読取装置７ではなく、ＩＣカード３が行う。
【０１０２】
利用者が店舗等で商品やサービスを購入する際に、ＩＣカード３を読取装置５に接続すると、まず、読取装置５の制御部２１は決済プログラム２０２を起動し、ＩＣカード３に決済情報の送信を要求する（ステップ８０１）。
【０１０３】
読取装置５からの要求を受けたＩＣカード３の制御部１３は、決済情報送信プログラム１０３を起動し、優先順位情報１０７をもとに、送信する決済情報を選択する（ステップ８０２）。
具体的には、図４〜図８に示す優先順位設定情報５０１ａ、一時使用停止設定情報５０１ｂ、デフォルト設定情報５０１ｃを参照し、要求する決済情報を選択する。
【０１０４】
次に、ＩＣカード３の制御部１３は、選択した決済情報を読取装置５に送信する（ステップ８０３）。
【０１０５】
読取装置５の制御部２１は選択した決済情報を受信する（ステップ８０４）。
そして、読取装置５の制御部２１は受信した決済情報に基づいて決済を行う（ステップ８０５）。
【０１０６】
このとき、選択した決済情報で決済ができない場合は、読取装置５の制御部２１は別の決済情報の送信を要求するか、エラーを表示して決済を中止する。
【０１０７】
このように、第２の実施形態においては、決済に用いる決済情報は優先順位情報１０７に基づき、ＩＣカード３が選択する。
従って、ＩＣカード３と読取装置５の間で優先順位情報１０７の送受信を行う必要がなく、決済時の通信負荷が第１の実施形態よりも小さい。
また、読取装置５の動作は従来の決済システムと同様であるため、従来の読取装置をそのまま用いることができる。
【０１０８】
なお、優先順位情報１０７の設定の変更方法は第１の実施形態と同様であるため、説明を省略する。
【０１０９】
このように、第２の実施形態によれば、決済および決済情報設定システム１ａはＩＣカード３、読取装置５および端末装置７を有し、決済の際にはＩＣカード３が優先順位情報１０７に基づいて決済に用いる決済情報を選択する。
従って第１の実施形態と同様に、利用者は、決済に使用する決済情報を事前に設定することができる。
【０１１０】
また、第２の実施形態によれば、決済および決済情報設定システム１ａでは、決済に用いる決済情報は優先順位情報１０７に基づき、ＩＣカード３が選択する。
従って、優先順位情報１０７の送受信を行う必要がなく、決済時の通信負荷が第１の実施形態よりも小さい。
また、読取装置５の動作は従来の決済システムと同様であるため、従来の読取装置をそのまま用いることができる。
【０１１１】
次に、第３の実施形態について説明する。
図２８は第３の実施形態に係る決済および決済情報設定システム１ｂのＩＣカード３の記憶部１５を示す図であって、図２９は図２８の優先順位情報Ａ（１０７ａ）を示す詳細図である。
なお、第１の実施形態に係る決済および決済情報設定システム１と同様の機能を果たす要素には同一の番号を付し、説明を省略する。
【０１１２】
第３の実施形態は、第１の実施形態において、優先順位情報Ａ（１０７ａ）、優先順位情報Ｂ（１０７ｂ）、優先順位情報Ｃ（１０７ｃ）を決済情報Ａ（１０３ａ）、決済情報Ｂ（１０３ｂ）、決済情報Ｃ（１０３ｃ）の一部としたものである。
【０１１３】
図２８に示すように、記憶部１５には決済情報Ａ（１０３ａ）、決済情報Ｂ（１０３ｂ）、決済情報Ｃ（１０３ｃ）が格納されている。
ここで、決済情報Ａ（１０３ａ）、決済情報Ｂ（１０３ｂ）、決済情報Ｃ（１０３ｃ）にはそれぞれ優先順位情報Ａ（１０７ａ）、優先順位情報Ｂ（１０７ｂ）、優先順位情報Ｃ（１０７ｃ）が含まれている。
【０１１４】
図２９に示すように、優先順位情報Ａ（１０７ａ）は優先順位設定情報５０１ａ、一時使用停止設定情報５０１ｂ、デフォルト設定情報５０１ｃを有するが、これらの情報は決済情報Ａ（１０３ａ）に関する情報のみからなる。
優先順位情報Ｂ（１０７ｂ）、優先順位情報Ｃ（１０７ｃ）も同様である。
【０１１５】
従って、優先順位情報Ａ（１０７ａ）、優先順位情報Ｂ（１０７ｂ）、優先順位情報Ｃ（１０７ｃ）の３つの情報を合わせた情報が、第１の実施形態における優先順位情報１０７に相当する。
【０１１６】
なお、決済および決済情報設定システム１ｂのブロック図および記憶部１５以外の各構成要素のハードウェア構成は、決済および決済情報設定システム１と同様であるため、説明を省略する。
【０１１７】
次に、決済および決済情報設定システム１ｂの動作について説明する。
まず、決済時の動作について説明する。
図３０は決済時の決済および決済情報設定システム１ｂの動作を示すフローチャートである。
【０１１８】
利用者が店舗等で商品やサービスを購入する際に、ＩＣカード３を読取装置５に接続すると、まず、読取装置５の制御部２１は決済プログラム２０２を起動し、ＩＣカード３に決済情報の送信を要求する（ステップ９０１）。
【０１１９】
読取装置５からの要求を受けたＩＣカード３の制御部１３は、決済情報送信プログラム１０２を起動し、決済情報Ａ（１０３ａ）、決済情報Ｂ（１０３ｂ）、決済情報Ｃ（１０３ｃ）が有する優先順位情報Ａ（１０７ａ）、優先順位情報Ｂ（１０７ｂ）、優先順位情報Ｃ（１０７ｃ）をもとに、要求する決済情報を選択する（ステップ９０２）。
具体的には、決済情報Ａ（１０３ａ）、決済情報Ｂ（１０３ｂ）、決済情報Ｃ（１０３ｃ）が有する優先順位設定情報５０１ａ、一時使用停止設定情報５０１ｂ、デフォルト設定情報５０１ｃを参照し、要求する決済情報を選択する。
【０１２０】
次に、ＩＣカード３の制御部１３は、選択した決済情報を読取装置５に送信する（ステップ９０３）。
【０１２１】
読取装置５の制御部２１は選択した決済情報を受信する（ステップ９０４）。
そして、読取装置５の制御部２１は受信した決済情報に基づいて決済を行う（ステップ９０５）。
【０１２２】
このとき、選択した決済情報で決済ができない場合は、読取装置５の制御部２１は別の決済情報の送信を要求するか、エラーを表示して決済を中止する。
【０１２３】
次に、優先順位情報Ａ（１０７ａ）、優先順位情報Ｂ（１０７ｂ）、優先順位情報Ｃ（１０７ｃ）の設定の手順について説明する。
図３１は決済および決済情報設定システム１ｂを用いた設定の手順を示すフローチャートである。
【０１２４】
まず、端末装置７の制御部３９は優先順位情報変更プログラム３０２を起動し、優先順位情報Ａ（１０７ａ）、優先順位情報Ｂ（１０７ｂ）、優先順位情報Ｃ（１０７ｃ）の変更方法を選択する（ステップ１００１）。
具体的には、図１８に示すように、表示部４７に設定方法表示７５ａ、７５ｂ、７５ｃを行い、利用者は入力部４５を用いてポインタ７７を操作し、選択を行う。
【０１２５】
優先順位情報Ａ（１０７ａ）、優先順位情報Ｂ（１０７ｂ）、優先順位情報Ｃ（１０７ｃ）の変更方法が選択されると、端末装置７の制御部３９はＩＣカード３に決済情報Ａ（１０３ａ）、決済情報Ｂ（１０３ｂ）、決済情報Ｃ（１０３ｃ）の送信を要求する（ステップ１００２）。
【０１２６】
端末装置７からの要求を受けたＩＣカード３の制御部１３は、決済情報送信プログラム１０２を起動し、決済情報Ａ（１０３ａ）、決済情報Ｂ（１０３ｂ）、決済情報Ｃ（１０３ｃ）を端末装置７に送信する（ステップ１００３）。
端末装置７の制御部３９は決済情報Ａ（１０３ａ）、決済情報Ｂ（１０３ｂ）、決済情報Ｃ（１０３ｃ）を受信する（ステップ１００４）。
【０１２７】
ここで、先ほど選択した決済情報Ａ（１０３ａ）、決済情報Ｂ（１０３ｂ）、決済情報Ｃ（１０３ｃ）の変更方法が、優先順位設定情報５０１ａの変更である場合はステップ１００６に進み、一時使用停止設定情報５０１ｂの変更である場合はステップ１００９に進み、デフォルト設定情報５０１ｃの変更である場合はステップ１０１０に進む（ステップ１００５）。
【０１２８】
優先順位設定情報５０１ａの変更である場合は、まず、端末装置７の制御部３９は優先順位１番の決済情報を選択する（ステップ１００６）。
具体的には、図１９に示すように、制御部３９は、決済情報Ａ（１０３ａ）、決済情報Ｂ（１０３ｂ）、決済情報Ｃ（１０３ｃ）をもとに表示部４７に決済情報表示７１ａ、７１ｂ、７１ｃを表示し、利用者は入力部４５を用いてポインタ７７を操作し、決済情報の選択を行う。
そして、利用者が選択した決済情報を優先順位１番として端末装置７の制御部３９が選択する。
【０１２９】
次に、端末装置７の制御部３９は優先順位２番の決済情報を選択する（ステップ１００７）。
具体的には、図２０に示すように、制御部３９は、決済情報Ａ（１０３ａ）、決済情報Ｂ（１０３ｂ）、決済情報Ｃ（１０３ｃ）をもとに表示部４７に決済情報表示７１ａ、７１ｂ、７１ｃを表示し、利用者は入力部４５を用いてポインタ７７を操作し、決済情報の選択を行う。
【０１３０】
そして、利用者が選択した決済情報を優先順位２番として端末装置７の制御部３９が選択する。
【０１３１】
次に、端末装置７の制御部３９は優先順位３番の決済情報を選択する（ステップ１００８）。
具体的には、図２１に示すように、制御部３９は、決済情報Ａ（１０３ａ）、決済情報Ｂ（１０３ｂ）、決済情報Ｃ（１０３ｃ）をもとに表示部４７に決済情報表示７１ａ、７１ｂ、７１ｃを表示し、利用者は入力部４５を用いてポインタ７７を操作し、決済情報の選択を行う。
【０１３２】
そして、利用者が選択した決済情報を優先順位３番として端末装置７の制御部３９が選択する。
【０１３３】
次に、端末装置７の制御部３９は、選択された優先順位に従って、決済情報Ａ（１０３ａ）、決済情報Ｂ（１０３ｂ）、決済情報Ｃ（１０３ｃ）を変更する（ステップ１０１１）。
即ち、決済情報Ａ（１０３ａ）、決済情報Ｂ（１０３ｂ）、決済情報Ｃ（１０３ｃ）が有する優先順位設定情報５０１ａをそれぞれ変更する。
【０１３４】
そして、端末装置７の制御部３９は、変更した決済情報Ａ（１０３ａ）、決済情報Ｂ（１０３ｂ）、決済情報Ｃ（１０３ｃ）をＩＣカード３に送信する（ステップ１０１２）。
【０１３５】
ＩＣカード３の制御部１３は変更した決済情報Ａ（１０３ａ）、決済情報Ｂ（１０３ｂ）、決済情報Ｃ（１０３ｃ）を受信し（ステップ１０１３）、記憶部１５に保存する（ステップ１０１４）。なお、変更前の決済情報Ａ（１０３ａ）、決済情報Ｂ（１０３ｂ）、決済情報Ｃ（１０３ｃ）は消去される。
【０１３６】
以上のステップにより、決済情報Ａ（１０３ａ）、決済情報Ｂ（１０３ｂ）、決済情報Ｃ（１０３ｃ）の有する優先順位情報Ａ（１０７ａ）、優先順位情報Ｂ（１０７ｂ）、優先順位情報Ｃ（１０７ｃ）は変更される。
【０１３７】
一方、優先順位情報Ａ（１０７ａ）、優先順位情報Ｂ（１０７ｂ）、優先順位情報Ｃ（１０７ｃ）の変更方法が、一時使用停止設定情報５０１ｂの変更である場合は、端末装置７の制御部３９は使用を停止する決済情報を選択する（ステップ１００９）。
【０１３８】
具体的には、図２３に示すように、制御部３９は、決済情報Ａ（１０３ａ）、決済情報Ｂ（１０３ｂ）、決済情報Ｃ（１０３ｃ）をもとに表示部４７に決済情報表示７１ａ、７１ｂ、７１ｃを行い、利用者は入力部４５を用いてポインタ７７を操作し、使用を停止する決済情報の選択を行う。
【０１３９】
そして、利用者が選択した決済情報を、使用を停止する決済情報として端末装置７の制御部３９が選択する。
【０１４０】
次に、端末装置７の制御部３９は、決済情報Ａ（１０３ａ）、決済情報Ｂ（１０３ｂ）、決済情報Ｃ（１０３ｃ）を変更する（ステップ１０１１）。
即ち、決済情報Ａ（１０３ａ）、決済情報Ｂ（１０３ｂ）、決済情報Ｃ（１０３ｃ）が有する一時使用停止設定情報５０１ｂをそれぞれ変更する。
【０１４１】
そして、端末装置７の制御部３９は、変更した一時使用停止設定情報５０１ｂを含む決済情報Ａ（１０３ａ）、決済情報Ｂ（１０３ｂ）、決済情報Ｃ（１０３ｃ）をＩＣカード３に送信する（ステップ１０１２）。
【０１４２】
ＩＣカード３の制御部１３は決済情報Ａ（１０３ａ）、決済情報Ｂ（１０３ｂ）、決済情報Ｃ（１０３ｃ）を受信し（ステップ１０１３）、記憶部１５に保存する（ステップ１０１４）。なお、変更前の決済情報Ａ（１０３ａ）、決済情報Ｂ（１０３ｂ）、決済情報Ｃ（１０３ｃ）は消去される。
【０１４３】
以上のステップにより、決済情報Ａ（１０３ａ）、決済情報Ｂ（１０３ｂ）、決済情報Ｃ（１０３ｃ）の有する優先順位情報Ａ（１０７ａ）、優先順位情報Ｂ（１０７ｂ）、優先順位情報Ｃ（１０７ｃ）は変更される。
【０１４４】
一方、優先順位情報Ａ（１０７ａ）、優先順位情報Ｂ（１０７ｂ）、優先順位情報Ｃ（１０７ｃ）の変更方法が、デフォルト設定情報５０１ｃの変更である場合は、端末装置７の制御部３９はデフォルト設定にする決済情報を選択する（ステップ１０１０）。
【０１４５】
具体的には、図２５に示すように、制御部３９は、決済情報Ａ（１０３ａ）、決済情報Ｂ（１０３ｂ）、決済情報Ｃ（１０３ｃ）をもとに表示部４７に決済情報表示７１ａ、７１ｂ、７１ｃを表示し、利用者は入力部４５を用いてポインタ７７を操作し、デフォルト設定にする決済情報の選択を行う。
【０１４６】
そして、利用者が選択した決済情報を、デフォルト設定にする決済情報として端末装置７の制御部３９が選択する。
【０１４７】
次に、端末装置７の制御部３９は、決済情報Ａ（１０３ａ）、決済情報Ｂ（１０３ｂ）、決済情報Ｃ（１０３ｃ）を変更する（ステップ１０１１）。
即ち、決済情報Ａ（１０３ａ）、決済情報Ｂ（１０３ｂ）、決済情報Ｃ（１０３ｃ）が有するデフォルト設定情報５０１ｃをそれぞれ変更する。
【０１４８】
そして、端末装置７の制御部３９は、変更したデフォルト設定情報５０１ｃを含む決済情報Ａ（１０３ａ）、決済情報Ｂ（１０３ｂ）、決済情報Ｃ（１０３ｃ）をＩＣカード３に送信する（ステップ１０１２）。
【０１４９】
ＩＣカード３の制御部１３は決済情報Ａ（１０３ａ）、決済情報Ｂ（１０３ｂ）、決済情報Ｃ（１０３ｃ）を受信し（ステップ１０１３）、記憶部１５に保存する（ステップ１０１４）。なお、変更前の決済情報Ａ（１０３ａ）、決済情報Ｂ（１０３ｂ）、決済情報Ｃ（１０３ｃ）は消去される。
【０１５０】
以上のステップにより、決済情報Ａ（１０３ａ）、決済情報Ｂ（１０３ｂ）、決済情報Ｃ（１０３ｃ）の有する優先順位情報Ａ（１０７ａ）、優先順位情報Ｂ（１０７ｂ）、優先順位情報Ｃ（１０７ｃ）は変更される。
【０１５１】
このように、第３の実施形態によれば、決済および決済情報設定システム１ｂはＩＣカード３、読取装置５および端末装置７を有し、決済の際にはＩＣカード３が優先順位情報１０７ａ、１０７ｂ、１０７ｃに基づいて決済に用いる決済情報を選択する。
従って、第１の実施形態と同様に、利用者は、決済に使用する決済情報を事前に設定することができる。
【０１５２】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１５３】
例えば、各実施形態では決済情報の種類が決済情報Ａ（１０３ａ）、決済情報Ｂ（１０３ｂ）、決済情報Ｃ（１０３ｃ）の３種類だが、４種類以上あってもよく、また２種類以下でもよい。
【０１５４】
また、各実施形態ではＩＣカードが優先順位設定情報５０１ａ、一時使用停止設定情報５０１ｂ、デフォルト設定情報５０１ｃの３つの情報を有しているが、いずれか１つ、あるいは２つのみの情報を有していてもよい。
【０１５５】
さらに、各実施形態ではＩＣカード３が非接触インタフェース部１７ａを有し、ＩＣカード３が読取装置５と直接通信を行っているが、別の形態として、端末装置７が非接触インタフェース部を構成するアンテナを有し、ＩＣカード３が端末装置７を介して読取装置５と通信を行う構成としてもよい。
【図面の簡単な説明】
【０１５６】
【図１】決済および決済情報設定システム１の構成を示すブロック図
【図２】ＩＣカード３のハードウェア構成を示す図
【図３】図２の記憶部１５を示す図で
【図４】優先順位情報１０７の詳細を示す図
【図５】優先順位情報１０７の詳細を示す図
【図６】優先順位情報１０７の詳細を示す図
【図７】優先順位情報１０７の詳細を示す図
【図８】優先順位情報１０７の詳細を示す図
【図９】読取装置５のハードウェア構成を示す図
【図１０】図９の記憶部２３を示す図
【図１１】端末装置７のハードウェア構成を示す図
【図１２】図１１の記憶部４１を示す図
【図１３】決済サーバＡ（１１ａ）のハードウェア構成を示す図
【図１４】図１３の記憶部６１を示す図
【図１５】決済時の決済および決済情報設定システム１の動作を示すフローチャート
【図１６】決済時の読取装置５の表示部２７の表示を示す図
【図１７】決済および決済情報設定システム１を用いた優先順位情報１０７の設定の手順を示すフローチャート
【図１８】図１７の各ステップでの端末装置７の表示部４７の表示内容を示す図
【図１９】図１７の各ステップでの端末装置７の表示部４７の表示内容を示す図
【図２０】図１７の各ステップでの端末装置７の表示部４７の表示内容を示す図
【図２１】図１７の各ステップでの端末装置７の表示部４７の表示内容を示す図
【図２２】図１７の各ステップでの端末装置７の表示部４７の表示内容を示す図
【図２３】図１７の各ステップでの端末装置７の表示部４７の表示内容を示す図
【図２４】図１７の各ステップでの端末装置７の表示部４７の表示内容を示す図
【図２５】図１７の各ステップでの端末装置７の表示部４７の表示内容を示す図
【図２６】図１７の各ステップでの端末装置７の表示部４７の表示内容を示す図
【図２７】決済および決済情報設定システム１ａの決済時の動作を示すフローチャート
【図２８】決済および決済情報設定システム１ｂのＩＣカード３の記憶部１５を示す図
【図２９】図２８の優先順位情報Ａ（１０７ａ）を示す詳細図
【図３０】決済時の決済および決済情報設定システム１ｂの動作を示すフローチャート
【図３１】決済および決済情報設定システム１ｂを用いた設定の手順を示すフローチャート
【符号の説明】
【０１５７】
１…………決済および決済情報設定システム
３…………ＩＣカード
５…………読取装置
７…………端末装置
９…………ネットワーク
１１ａ……決済サーバＡ
１３………制御部
１５………記憶部
１７ａ……非接触インタフェース部
２１………制御部
２３………記憶部
３９………制御部
４１………記憶部
１０３ａ…決済情報Ａ
１０７……優先順位情報
２０２……決済プログラム
３０２……優先順位情報変更プログラム
【図１】
2008065669.tif 000003
【図２】
2008065669.tif 000004
【図３】
2008065669.tif 000005
【図４】
2008065669.tif 000006
【図５】
2008065669.tif 000007
【図６】
2008065669.tif 000008
【図７】
2008065669.tif 000009
【図８】
2008065669.tif 000010
【図９】
2008065669.tif 000011
【図１０】
2008065669.tif 000012
【図１１】
2008065669.tif 000013
【図１２】
2008065669.tif 000014
【図１３】
2008065669.tif 000015
【図１４】
2008065669.tif 000016
【図１５】
2008065669.tif 000017
【図１６】
2008065669.tif 000018
【図１７】
2008065669.tif 000019
【図１８】
2008065669.tif 000020
【図１９】
2008065669.tif 000021
【図２０】
2008065669.tif 000022
【図２１】
2008065669.tif 000023
【図２２】
2008065669.tif 000024
【図２３】
2008065669.tif 000025
【図２４】
2008065669.tif 000026
【図２５】
2008065669.tif 000027
【図２６】
2008065669.tif 000028
【図２７】
2008065669.tif 000029
【図２８】
2008065669.tif 000030
【図２９】
2008065669.tif 000031
【図３０】
2008065669.tif 000032
【図３１】
2008065669.tif 000033